(57)【要約】【課題】  識別コードに含まれる保存場所により特定される文書の印刷可否を決定する。【解決手段】  識別コードから、当該識別コードに含まれる文書の保存場所と当該文書のプロパティとを読み出す手段と、前記読み出された文書のプロパティと、前記文書の印刷可否の判断要求とを表示画面に表示させる手段と、前記読み出された文書の保存場所に基づいて当該文書の保存場所へのアクセスを行うアクセス手段と、前記判断要求に対して印刷可の判断をユーザが指示した場合に、前記保存場所から送られてくる文書の印刷を行う手段とを有することを特徴とする印刷装置。【選択図】  図１１
2014138990.tif 000002
【特許請求の範囲】
【請求項１】
識別コードから、当該識別コードに含まれる文書の保存場所と当該文書のプロパティとを読み出す手段と、
前記読み出された文書のプロパティと、前記文書の印刷可否の判断要求とを表示画面に表示させる手段と、
前記読み出された文書の保存場所に基づいて当該文書の保存場所へのアクセスを行うアクセス手段と、
前記判断要求に対して印刷可の判断をユーザが指示した場合に、前記アクセスに対応して前記保存場所から送られてくる文書の印刷を行う手段とを有することを特徴とする印刷装置。
【請求項２】
前記アクセス手段は、
前記表示画面への前記文書のプロパティと前記判断要求の表示と並行して、前記保存場所へのアクセスを行うことを特徴とする請求項１に記載の印刷装置。
【請求項３】
前記プロパティには、
前記文書のページ数が含まれることを特徴とする請求項１又は２に記載の装置。
【請求項４】
識別コードから、当該識別コードに含まれる文書の保存場所と当該文書のプロパティとを読み出す工程と、
前記読み出された文書のプロパティと、前記文書の印刷可否の判断要求とを表示画面に表示させる工程と、
前記読み出された文書の保存場所に基づいて当該文書の保存場所へのアクセスを行うアクセス工程と、
前記判断要求に対して印刷可の判断をユーザが指示した場合に、前記アクセスに対応して前記保存場所から送られてくる文書の印刷を行う工程とを有することを特徴とする印刷方法。
【請求項５】
前記アクセス工程は、
前記表示画面への前記文書のプロパティと前記判断要求の表示と並行して、前記保存場所へのアクセスを行うことを特徴とする請求項４に記載の印刷方法。
【請求項６】
前記プロパティには、
前記文書のページ数が含まれることを特徴とする請求項４又は５に記載の方法。
【請求項７】
請求項４乃至６の何れか１項に記載の方法をコンピュータに実行させるためのプログラム。
【発明の詳細な説明】
【技術分野】
【０００１】
識別コードを取り扱うことのできる印刷装置、印刷方法、プログラムに関する。
【背景技術】
【０００２】
紙面等に印刷された２次元コードを携帯端末で読み込むことで情報を得るための技術が開示されている。例えば紙面に印刷されたＵＲＬ（Ｕｎｉｆｏｒｍ  Ｒｅｓｏｕｒｃｅ  Ｌｏｃａｔｏｒ）情報を含む２次元コードを携帯端末に備え付けられたカメラにて撮像することで、携帯端末上のウェブブラウザを用いて該ＵＲＬにアクセスを行う。これによりＵＲＬを携帯端末に打ち込む手間なく、利用者は所望の情報を取得することが可能になっている（特許文献１参照）。
【０００３】
また、用紙に剥きこまれたＩＣタグに文書データに関する文書情報を記録し、ＩＣタグ情報を読み出す機能を有する電子文書管理システムが開示されている。電子文書管理システムはＩＣタグに含まれる文書情報を読み出し、データベースにアクセス、登録された文書情報を参照し印刷された文書が最新バージョンであるか否かを判断し判断情報をユーザーに報知することを可能としている。（特許文献２参照）
また、用紙に印刷条件をコード化し印刷し、これをもとに加筆情報含むドキュメントを電子化する際に画像を補正する技術が開示されている。電子文書管理システムは、用紙に印刷した機器情報やドライバ情報、縮尺情報などの印刷条件をコード形式に変換して印刷し、印刷装置の画像読み込み処理時に加筆情報とともに印刷条件を送信し加筆情報の位置ずれを補正して電子化することが可能となっている。（特許文献３）
【先行技術文献】
【特許文献】
【０００４】
【特許文献１】特開２００２−１１１９０９
【特許文献２】特開２００７−１１７９０
【特許文献３】特開２００３−２７１５７７
【発明の概要】
【発明が解決しようとする課題】
【０００５】
ドキュメントの一部もしくは重要なポイントのみを印刷された印刷物を用いてユーザーがドキュメント全体を印刷指示する際に、事前にドキュメントの文書情報を得ることが困難である。また、ドキュメント取得実行命令をドキュメントサーバに送信後に印刷情報を検知する場合、ユーザーはドキュメントサーバからの応答を待たなければならない。さらには、予め印刷物に文書情報を印刷しておく場合、文書情報を印刷するための領域が必要となり、コンテンツ情報を印刷するための領域を削減しなくてはならない。
【課題を解決するための手段】
【０００６】
識別コードから、当該識別コードに含まれる文書の保存場所と当該文書のプロパティとを読み出す手段と、前記読み出された文書のプロパティと、前記文書の印刷可否の判断要求とを表示画面に表示させる手段と、前記読み出された文書の保存場所に基づいて当該文書の保存場所へのアクセスを行うアクセス手段と、前記判断要求に対して印刷可の判断をユーザが指示した場合に、前記保存場所から送られてくる文書の印刷を行う手段とを有することを特徴とする印刷装置。
【発明の効果】
【０００７】
本発明によれば、識別コードに含まれるプロパティを用いて印刷装置の制御をおこなうことを可能とする。
【図面の簡単な説明】
【０００８】
【図１】画像形成装置で実施するＰＤＬ描画処理部の構成例を示すブロック図
【図２】画像形成装置のコントロールユニットの一構成例を示すブロック図
【図３】画像形成装置のコントローラソフトウェアの構成例を示すブロック図
【図４】画像形成装置の動作を制御する画像形成装置の構成例を示すブロック図
【図５】４ドラム（４Ｄ）カラー系のプリンタの構成例を説明する図
【図６】サンプル画像の一例
【図７】本発明のネットワーク概略を示す図
【図８】画像形成装置の操作部の構成例を示す図
【図９】画像形成装置のキー操作部の構成例を示す図
【図１０】画像形成装置の操作部の構成例を示す図
【図１１】実施例１における画像形成処理の流れを示すフローチャート
【図１２】実施例１および実施例２、実施例３における識別コードからの情報抽出処理の流れを示すフローチャート
【図１３】実施例１および実施例２、実施例３におけるドキュメントサーバへのドキュメント登録および識別コード生成処理の流れを示すフローチャート
【図１４】実施例２における画像形成処理の流れを示すフローチャート
【図１５】実施例３における画像形成処理の流れを示すフローチャート
【図１６】実施例１における画像形成装置の操作画面にドキュメント設定情報を表示する場合の画面構成の一例
【図１７】実施例１における画像形成装置の操作画面にドキュメント設定情報を表示する場合の画面構成の一例
【図１８】実施例２における画像形成装置の操作画面にドキュメント設定情報と警告を表示する場合の画面構成の一例
【図１９】実施例３における画像形成装置の操作画面にドキュメント設定情報と設定変更可能項目を表示する場合の画面構成の一例
【図２０】実施例１−４における認識データとこれに含まれるドキュメントサーバ情報およびドキュメント情報の一例
【図２１】実施例４における画像形成処理の流れを示すフローチャート
【発明を実施するための形態】
【０００９】
［実施例１］
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１０】
＜ＰＤＬ描画処理部の構成例を示すブロック図＞
図１は、本発明の実施の形態にかかる描画処理部の構成例を示すブロック図である。なお、レンダリング処理部は、ＰＤＬで記述された文字、線画、図形などのベクトル情報、ビットマップ情報などを、同時に頁として再現するために、各オブジェクト情報をメモリ上（図示せず）にラスタ画像としてラスタライズする処理である。
【００１１】
描画処理部は、インタプリタ１０１とレンダリング処理部１０８の二つの部分から構成される。インタプリタ１０１は、ＰＤＬデータを言語解析するＰＤＬ解析部１０２、ＰＤＬデータに含まれるページ情報を解析するＰａｇｅ情報解析部１０３、および、ＰＤＬデータに含まれる描画オブジェクトを解析する描画オブジェクト解析部１０４。更に、描画オブジェクトからディスプレイリストと呼ぶ中間ファイルを生成するディスプレイリスト（ＤＬ）生成部１０５から構成される。
【００１２】
さらに、描画オブジェクトやフォントをキャッシュし再利用可能な場合、メモリやＨＤＤなどの一時記憶装置上のデータ記憶部１０７にＤＬデータを記憶、読み出しすることができるＤＬ管理部１０６が含まれる。
【００１３】
ＰＤＬ解析部１０２は、入力される様々な種類のＰＤＬデータが解析可能である。ＰＤＬデータのフォーマットとしては、Ａｄｏｂｅ社のＰｏｓｔＳｃｒｉｐｔ（登録商標）言語やＨＰ社のＰＣＬ（登録商標）などが有名である。また、Ａｄｏｂｅ社の文書用のドキュメントフォーマットであるＰＤＦ（商標）も解析可能である。その他、ＰＰＭＬやＰＤＦ／ＶＴなどのＶＤＰ向けフォーマットも処理可能である。更に、ＪＰＥＧ  （Ｊｏｉｎｔ  Ｐｈｏｔｏｇｒａｐｈｉｃ  Ｅｘｐｅｒｔｓ  Ｇｒｏｕｐ）やＴＩＦＦ  （Ｔａｇｇｅｄ  Ｉｍａｇｅ  Ｆｉｌｅ  Ｆｏｒｍａｔ）などの画像圧縮フォーマットも処理可能である。
【００１４】
レンダリング処理部１０８は、ディスプレイリストに対してカラーマッチングを行うＣＭＭ  （図示せず）、ディスプレイリストをビットマップデータ（ラスタ画像）にレンダリングするＤＬレンダリング部（図示せず）から構成される。
【００１５】
プリントエンジン１０９は、レンダリング処理部１０８で生成されたビットマップデータを読み出し、印刷処理を実施する。詳細は＜画像形成装置の印刷処理部＞で図５を用いて説明する。
【００１６】
＜コントローラユニットの構成＞
図２は、本実施形態における画像形成装置のコントロールユニット（コントローラ）の一構成例を示すブロック図である。
【００１７】
図２において、コントロールユニット２００は、画像入力デバイスであるスキャナ２０１や画像出力デバイスであるプリンタエンジン２０２と接続し、画像データの読み取りやプリント出力のための制御を行う。また、コントロールユニット２００は、ＬＡＮ１０、１１や公衆回線２０４と接続することで、画像情報やデバイス情報をＬＡＮ１０、１１経由で入出力するための制御を行う。
【００１８】
ＣＰＵ２０５は画像形成装置全体を制御するための中央処理装置である。ＲＡＭ２０６は、ＣＰＵ２０５が動作するためのシステムワークメモリであり、入力された画像データを一時記憶するための画像メモリでもある。さらに、ＲＯＭ２０７はブートＲＯＭであり、システムのブートプログラムが格納されている。ＨＤＤ２０８はハードディスクドライブであり、各種処理のためのシステムソフトウェア及び入力された画像データを等格納する。
【００１９】
操作部Ｉ／Ｆ２０９は、画像データ等を表示可能な表示画面を有する操作部２１０に対するインタフェース部であり、操作部２１０に対して操作画面データを出力する。また、操作部Ｉ／Ｆ２０９は、操作部２１０から操作者が入力した情報をＣＰＵ２０５に伝える役割をする。
【００２０】
ネットワークインタフェース２１１、２２１は、例えばＮＩＣを介して、ＬＡＮ１０、１１に接続して外部装置との間で情報の入出力を行う。（本実施例では２枚のネットワークインタフェースに限った場合について説明をするが、３枚以上のインタフェースを使用した場合も本実施例に含まれることは言うまでもない。）さらにまた、モデム２１２は公衆回線２０４に接続し、外部装置との間で情報の入出力を行う。
【００２１】
以上のユニットがシステムバス２１３上に配置されている。
【００２２】
イメージバスＩ／Ｆ２１４は、システムバス２１３と画像データを高速で転送する画像バス２１５とを接続するためのインタフェースであり、データ構造を変換するバスブリッジである。
【００２３】
画像バス２１５上には、ラスタイメージプロセッサ２１６、デバイスＩ／Ｆ２１７、スキャナ画像処理部２１８、プリンタ画像処理部２１９、画像編集用画像処理部２２０、カラーマネージメントモジュール２３０が接続される。ラスタイメージプロセッサ（ＲＩＰ）２１６は、ページ記述言語（ＰＤＬ）コードや後述するベクトルデータをイメージに展開する。デバイスＩ／Ｆ部２１７は、スキャナ２０１やプリンタエンジン２０２、画像撮影装置２０３、コントロールユニット２００とを接続し、画像データの同期系／非同期系の変換を行う。
【００２４】
また、スキャナ画像処理部２１８は、スキャナ２０１から入力した画像データに対して、補正、加工、編集等の各種処理を行う。プリンタ画像処理部２１９は、プリント出力する画像データに対して、プリンタエンジンに応じた補正、解像度変換等の処理を行う。画像編集用画像処理２２０は、画像データの回転や、画像データの圧縮伸長処理等の各種画像処理を行う。
【００２５】
画像認識処理部２２２は画像撮影装置２０３から入力した画像データに対して、２次元コードなどの認識コードか否かを判断し、認識コードに含まれる符号化情報を解析する処理を行う。
【００２６】
ＣＭＭ２３０は、画像データに対して、プロファイルやキャリブレーションデータに基づいた、色変換処理（色空間変換処理ともいう）を施す専用ハードウェアモジュールである。プロファイルとは、機器に依存した色空間で表現したカラー画像データを機器に依存しない色空間（例えばＬａｂなど）に変換するための関数のような情報である。キャリブレーションデータとは、カラー複合機３におけるスキャナ部２０１やプリンタエンジン２０２の色再現特性を修正するためのデータである。
【００２７】
＜コントローラソフトウェア構成＞
図３は、画像形成装置の動作を制御するコントローラソフトウェアの構成を示すブロック図である。
【００２８】
プリンタインタフェース３４０は、外部との入出力のための手段である。
【００２９】
プロトコル制御部３０１は、ネットワークプロトコルを解析・送信することによって外部との通信を行う手段である。プリンタインタフェース、プロトコル制御部は接続されるＮＩＣ毎に複数用意することも可能であるし、複数のＮＩＣからの入力を１つの制御部で処理するよう構成することも可能である。
【００３０】
データ入力識別部３０２は、プリンタインタフェースを介して入力された印刷ジョブが複数接続されるネットワークのどちらから入力されたかを識別する。
【００３１】
ジョブ管理部３０３は、プリンタＩＦ３４０から入力された印刷ジョブを管理し、印刷ジョブの分割処理や印刷ジョブに付加されている印刷設定に従いデバイス制御に関する情報を処理する。
【００３２】
ＰＤＬ解析部３０４は、ＰＤＬを解析し、より処理しやすい形式の中間コード（ＤｉｓｐｌａｙＬｉｓｔ）に変換する手段である。ＰＤＬ解析部３０４において生成された中間コードはデータ描画部３０５に渡されて処理される。データ描画部３０５は上記中間コードをビットマップデータに展開するものであり、展開されたビットマップデータはページメモリ３０６に逐次描画されて行く。
【００３３】
ページメモリ３０６はレンダラが展開するビットマップデータを一次的に保持する揮発性のメモリである。
【００３４】
パネル入出力制御部３２０は操作パネルからの入出力を制御するものである。
【００３５】
データ記憶部３３０はプリンタＩ／Ｆから入力される印刷ジョブやスキャナから入力されたスキャンジョブなど画像形成装置に入力される様々なデータファイルを記憶する手段であり、ＳＲＡＭやハードディスク等の不揮発性の二次記憶装置によって実現される。
【００３６】
スキャン制御部３５０はスキャナから入力した画像データに対して、補正、加工、編集などの各種処理を行う。
【００３７】
画像認識処理部３８０は画像撮影装置から入力した画像データに対して、２次元コードなどの認識コードか否かを判断し、３９０は認識コードに含まれる符号化情報を解析する処理を行う。
【００３８】
印刷制御部３６０は、ページメモリ３０６の内容をビデオ信号に変換処理し、プリンタエンジン部３７０へ画像転送を行なう。プリンタエンジン部３７０は受け取ったビデオ信号を記録紙に永久可視画像形成するための印刷機構部である。
【００３９】
＜画像形成装置制御部＞
図４は画像形成装置の動作を制御する画像形成装置の構成例を示すブロック図である。
【００４０】
出力ジョブ管理部１８１は、プリンタＩＦ部（図３−３４０）より入力される印刷ジョブを管理し、メモリ１９５に対する印刷ジョブの読み書きと、その処理順序を制御する。
【００４１】
出力ジョブ制御部１８２は、ジョブ解析部１８３、バインダ解析部１８４、ドキュメント解析部１８４およびページ解析部１８６から構成され、印刷ジョブの設定情報（所謂ジョブチケット）と画像情報を作成する。
【００４２】
ジョブ解析部１８３は、印刷する文書名や印刷部数、出力先である排紙トレイの指定、複数バインダで構成される印刷ジョブのバインダ順など、印刷ジョブ全体に関わる設定情報の詳細を解析し、印刷ジョブ設定情報を作成する。バインダ解析部１８４は、製本方式の設定やステイプルの位置、複数ドキュメントで構成されるバインダのドキュメント順など、バインダ全体に関わる設定情報の詳細を解析し、バインダ情報を作成する。
【００４３】
ドキュメント解析部１８５は、複数頁で構成されるドキュメントの頁順、両面印刷の指定、表紙や台紙の付加など、ドキュメント全体に関わる設定情報の詳細を解析し、ドキュメント設定情報を作成する。ページ解析部１８６は、画像の解像度、画像の向き（ランドスケープ／ポートレイト）など、ページ全体に関する設定情報の詳細を解析し、ページ設定情報を作成する。
【００４４】
用紙情報管理部１９１は、出力ジョブ制御部で解析された印刷処理に関する用紙種類に関する情報を管理する。用紙情報制御部１９２は、印刷処理に関する用紙種類に関する属性情報を示した用紙情報管理テーブルを作成する。
【００４５】
なおこの出力ジョブ管理部および用紙情報管理部の処理は、本実施例では画像形成装置における処理として説明したが図７の７２および７３に示すホストコンピュータ上で処理を行っても良い。またホストコンピュータと画像形成装置間でのネットワーク上に、印刷ジョブの管理を行うプリントサーバ（図７の７１に示す）を設け、該プリントサーバで上記ジョブ管理処理を行ってもよい。
【００４６】
画像情報の生成に当たり、スキャン画像の場合はスキャン画像用の画像処理を施し、ＰＤＬデータの場合は画像処理／ＲＩＰ部１９３を呼び出してレンダリングし、ページ画像情報１９４を生成する。ページ画像情報は、圧縮伸長部１８７によりデータ圧縮された後、シナリオおよび設定情報と関連付けられ、メモリ１９５に格納される。
【００４７】
デバイス管理部１８８は、デバイス割当部１８９とデバイス制御部１９０から構成される。メモリ１９５から関連付けられたシナリオおよび設定情報と一緒に読み出されるページ画像情報は圧縮伸長部１８７によって伸長され、シナリオ、設定情報およびページ画像情報は一組として出力デバイス管理部１８８に入力される。デバイス割当部１８９は、シナリオに基づきデバイスを割り当てる際に、複数の印刷ジョブが同時に処理を進めると発生するデバイスの競合を調停する役割を果たす。デバイス制御部１９０は、プリンタや後処理部など、どのデバイスをどのタイミングで利用するかをスケジュールする。
【００４８】
＜画像形成装置の印刷処理部＞
図５は４ドラム（４Ｄ）カラー系のプリンタ（図２−２０２）の構成例を説明する図である。
【００４９】
４Ｄカラー系のプリンタは、スキャナ、レーザ露光部、感光ドラム、作像部、定着部、給紙／搬送部、および、これらを制御する不図示のプリンタ制御部から構成される。
【００５０】
スキャナは、原稿台に置かれた原稿に照明を当てて原稿画像を光学的に読み取り、その像を電気信号に変換して画像データを作成する。
【００５１】
レーザ露光部は、画像データに応じて変調されたレーザ光などの光線を等角速度で回転する回転多面鏡（ポリゴンミラー）に入射し、回転多面鏡の反射光を走査光として感光ドラムに照射する。
【００５２】
作像部は、感光ドラムを回転駆動し、帯電器によって帯電させ、レーザ露光部によって感光ドラム上に形成された潜像をトナーによって現像し、そのトナー像をシートに転写する。さらに、転写時に転写されずに感光ドラム上に残った微小トナーを回収する、といった一連の電子写真プロセスの現像ユニット（現像ステーション）を四連もつことで、作像を実現する。シアン（Ｃ）、マゼンタ（Ｍ）、イエロー（Ｙ）、ブラック（Ｋ）の順に並んだ四連の現像ユニットは、シアンステーションの作像開始から所定時間経過後に、マゼンタ、イエロー、ブラックの作像動作を順次実行する。このタイミング制御によって、シート上に色ずれがないフルカラートナー像が転写される。
【００５３】
定着部は、ローラやベルトの組み合わせによって構成され、ハロゲンヒータなどの熱源を内蔵し、作像部によってトナー像が転写されたシート上のトナーを、熱と圧力によって溶融し、シートに定着する。
【００５４】
給紙／搬送部は、シートカセットやペーパデッキに代表されるシート収納庫を一つ以上有し、プリンタ制御部の指示に応じてシート収納庫に収納された複数のシートから一枚を分離し、作像部、定着部へ搬送する。搬送されるシートには、前述した現像ユニットによって、各色のトナー像が転写され、最終的にフルカラートナー像がシート上に形成される。シートの両面に画像を形成する場合は、定着部を通過したシートを、再度、作像部へ搬送する両面搬送経路に導く。
【００５５】
プリンタ制御部は、画像形成装置全体を制御する画像形成装置制御部と通信し、その指示に応じて制御を実行するとともに、前述したスキャナ、レーザ露光、作像、定着、給紙／搬送の各部の状態を管理しながら、全体が調和を保って円滑に動作するよう制御を行う。
【００５６】
次に、装置の電源オフ状態から動作が開始可能な状態に至るまでの各部の動作概要を説明する。
【００５７】
装置の電源が投入されると、プリンタ制御部は、スキャナ、レーザ露光、作像、定着部、給紙／搬送の各部に対して準備動作の開始を指示するとともに、画像形成装置全体を管理する画像形成装置制御部との通信が開始されるのを待つ。画像形成装置制御部との通信が確立すると、お互いの機器仕様のやり取りを行い、その後、各部の準備動作が終了し画像形成動作が可能になると、動作可能状態であることを画像形成装置制御部に通知する。
【００５８】
プリンタ制御部は、画像形成装置制御部に対して、各部の機器状態を通知するが、その一例を挙げる。給紙／搬送部については、シート収納庫に格納されたシートのサイズ、シートの残量（積載量）、駆動部の動作状態（動作可能か故障中か）を検知して、これらの情報を通知する。また、作像部については、トナー収容器のトナー残量を通知する。
【００５９】
次に、動作が開始可能な状態になり、画像形成装置制御部から動作指示が通知されて、一連のプリント動作を実行し終了するまでの各部の動作概要を説明する。
【００６０】
画像形成装置制御部は、動作開始コマンドをプリンタ制御部へ通知する。動作開始コマンドを受信したプリンタ制御部は、レーザ露光、作像、給紙搬送、定着の各部にプリント動作の開始を指示する。
【００６１】
レーザ露光部はポリゴンミラーを駆動するモータ（ポリゴンモータ）の回転を開始し、作像部は感光ドラムを回転駆動して感光ドラムを帯電する。定着部は定着ヒータをオンして、定着温度をトナーがシートに定着可能な温度に上昇させ、給紙／搬送部は駆動モータを搬送可能な状態にする。
【００６２】
各部の動作準備が整うと、プリンタ制御部は、画像形成装置制御部に準備完了を通知する。準備完了通知を受信した画像形成装置制御部は、頁単位でプリント動作を指示する。画像形成装置制御部は、例えば１０頁、２０部の印刷ジョブであれば２００頁のプリント動作を指示する。プリント動作の指示を受信したプリント制御部は、給紙／搬送部に給紙を指示する。
【００６３】
給紙／搬送部は、シートが供給可能であれば、シートを一枚供給、搬送して、シートが所定位置に到達するとプリント制御部にその旨を通知する。もし、シート収納庫にシートがない場合などは、給紙不可能の旨をプリント制御部へ通知する。また、搬送経路上にシートが重なった状態（重送状態）で搬送されていることを検知する重送検知センサや、シートの厚みを検知する厚さ検知センサなどを給紙／搬送部が有すことがある。これらのセンサが重送状態や異常を検知すると、給紙／搬送手段は、給紙動作、搬送動作を中断し、プリント制御部へ異常を通知する。異常の通知を受けたプリント制御部は、画像形成装置制御部へ動作中断の理由、装置内に残留しているシートの位置などを通知する。
【００６４】
シートが正常に搬送され、所定位置に到達した旨の通知を受けたプリント制御部は、その通知に応じて作像部に作像の開始を指示する。このタイミング制御によって、シート上にトナー像が転写される。一方、定着部は、定着温度を監視し、適切な温度になるよう制御するが、シートに奪われる熱量が大きい場合、定着温度が低下する場合がある。この場合、定着部は、定着温度の低下をプリント制御部へ通知する。この通知を受けたプリント制御部は、シートの搬送間隔を空け、定着温度がこれ以上低下しないようにする。それでも定着部の温度が復帰しない場合、プリント制御部は、一旦動作を中断し、定着温度が適切な温度に復帰後、動作を再開する。
【００６５】
プリント制御部は、すべてのシートの排出が完了すると、動作停止を各部へ指示し、各部からの動作停止通知を受け、画像形成装置制御部へ動作終了を通知する。
【００６６】
なお、本図にはシート収納庫を２個図示したが、機器構成によってはより多くのシート収納庫を接続し使用することができる。
【００６７】
＜サンプル画像の一例＞
図６の６０はサンプル画像の例であり、６１は２次元コードなどの認識コード画像の例である。
【００６８】
利用者は認識コードを印刷面に合成したサンプル画像データを印刷した文書をサンプル文書として他の利用者に渡す。サンプル文書を受け取った利用者は、図７に示す印刷装置７５もしくは通信機能付き携帯端末等を操作して２次元コードの読み取りを行う。２次元コードの読み取りを行った印刷装置７５や通信機能付き携帯端末は、読み取った２次元コードに含まれるＵＲＬを元にドキュメントサーバ７６に対して文書データの要求を行う。
【００６９】
＜ネットワークを介した印刷システムの構成＞
図７において、画像形成装置７５は、ネットワーク７４を介してドキュメントサーバ７６と接続される。また、画像形成装置７５は、ホストコンピュータ７２及び７３（以下ホストコンピュータを７とする。但し、これに限定されずホストコンピュータは多数存在するものである。）と接続することが可能である。
【００７０】
プリントサーバ７１は、入力された印刷ジョブやネットワーク７４介して接続されている画像形成装置７５を管理する。プリントサーバ７１は、接続されている画像形成装置７５と全ての印刷ジョブの状況を監視できるとともに、印刷ジョブの一時停止、設定変更、印刷再開、あるいはジョブの複製、移動、削除などの制御を行うことができる。ネットワーク７４はドキュメントサーバ７６およびホストコンピュータ７と画像形成装置７５へのデータ送受信や、命令を交換することを可能にする。
【００７１】
＜画像形成装置の操作部の構成＞
画像形成装置７５の操作部２１０（図２）の構成について、図８および図９を用いて説明する。
【００７２】
図８に示すように、操作部２１０は、ハードキーによるオペレータ操作を受付け可能なキー入力部８０２、ソフトキー（表示キー）によるオペレータ操作を受付可能な表示ユニットの一例としてのタッチパネル部８０１を有する。また、図９に示すように、キー入力部８０２は、操作部電源スイッチ９０１を具備する。該スイッチ９０１のオペレータ操作に応答し、ＣＰＵ２０５は、スタンバイモードとスリープモードを選択的に切換るよう制御する。ただし、スタンバイモードは、通常動作状態であり、スリープモードは、ネットワーク印刷やファクシミリなどに備えて割り込み待ち状態でプログラムを停止して、消費電力を抑えている状態である。ＣＰＵ２０５は、該スイッチ９０１のオペレータ操作を、システム全体の電源供給を行う主電源スイッチ（不図示）がＯＮ状態にて、受付可能に制御する。スタートキー９０３は、処理対象となるジョブのコピー動作や送信動作等、オペレータにより指示された種類のジョブ処理を印刷装置に開始させる指示をオペレータから受付可能にする為のキーである。ストップキー９０２は、受け付けたジョブの処理を印刷装置に中断させる指示をオペレータから受付可能にする為のキーである。テンキー９０６は、各種設定の置数の設定をオペレータにより実行可能にする為のキーである。クリアキー９０７は、キー９０６を介してオペレータにより設定された置数等の各種パラメータを解除するためのキーである。リセットキー９０４は、オペレータにより処理対象のジョブに対して設定された各種設定を全て無効にし、また、設定値をデフォルト状態に戻す指示をオペレータから受け付ける為のキーである。ユーザーモードキー９０５は、オペレータごとのシステム設定画面に移行するためのキーである。
【００７３】
以下に撮影装置を用いて認識した認識コードの解析結果を基に、ドキュメントサーバから送信されるドキュメントを画像形成処理する制御プログラムと画像形成装置およびドキュメントサーバの処理について図１１〜１３を用いて説明する。
【００７４】
なお、図１６の１６０１および図１７の１７０１は本実施例における画像形成システム制御プログラムで表示されるプログラムの操作画面の一例である。
【００７５】
＜画像形成装置システムのジョブ処理＞
図１１は画像形成システムにおいて、撮影装置を用いて認識した認識コードの解析結果を基に、ドキュメントサーバから送信されるドキュメントを画像形成処理完了するまでの流れを示すフローチャートである。
【００７６】
画像形成システムは、図３の３８０および３９０で以下の処理を実施する。
【００７７】
図２の２１７を介して接続される動画撮影可能な撮像装置（図２の２０３に図示）において識別コードを撮影（Ｓ１１０１）、認識情報を認識する（Ｓ１１０２）し、Ｓ１１０２で得られた認識情報を解析する（Ｓ１１０３）。
【００７８】
次に画像形成システムは、図３のジョブ管理部（３０３）、ＰＤＬ解析部（３０４）および印刷制御部（３６０）において以下の処理を実施する。まず、Ｓ１１０３の解析結果から後述するＳ１２０５にてドキュメントサーバ情報保存領域（文書の保存場所のことである。）に保存されているドキュメントサーバ情報（文書の保存場所のことである。）を読みだす。（Ｓ１１０４）ドキュメントサーバ情報の一例を図２０の２００１に示す。次に後述するＳ１２０９にてドキュメント保存領域に保存されているドキュメント情報（文書のプロパティのことである）を読み出す。（Ｓ１１０５）ドキュメント情報の一例を図２０の２００２に示す。図８の８０１および８０２、図１０の１００１に示す画像形成装置が有する操作パネルにＳ１１０５にて保存領域から読み出したドキュメント情報と、画像形成処理を実行するか否かを選択する画面（即ち、印刷可否の判断要求を含む画面）を表示する。（Ｓ１１０６）画面構成の一例を図１６の１６０１に示す。
【００７９】
次に、オペレータが前記操作パネルを介して画像形成処理実行を指示したか判断し（Ｓ１１０７）、入力された実行指示に従い処理を実行する。Ｓ１１０７で画像形成処理に対して実行が選択された場合、Ｓ１１０４で保存領域から読み出したドキュメントサーバ情報に記載のドキュメントサーバに対してデータ送信命令を送信し（Ｓ１１０８）、ドキュメントサーバからのドキュメント受信を待つ。（Ｓ１１０９）ドキュメント受信後、受信したドキュメントをビットマップ展開し紙媒体への画像形成処理を行う（Ｓ１１１０）。
【００８０】
一方、Ｓ１１０７にて画像形成処理がキャンセルされた場合はドキュメントサーバへのドキュメント送信命令は送信せず処理を終了する。
【００８１】
なお、Ｓ１１０８の送信とＳ１１０６の表示を並行して行っても良い。また、ＣＰＵのリソースが足りなければ送信開始の方が表示開始よりも遅いことが好ましい。これは、データ送信命令の送信と、その送信への応答としての文書の受信にはそれなりに時間がかかるため、送信開始は早く行うことが好ましい。
【００８２】
また、本実施例では、一律にプロパティや印刷可否の判断要求を含む画面を表示する例を示したが、プロパティが文書のページ数が閾値（例えば２０ページ）より多いことを示している場合にのみそうした表示を行う構成でも良い。つまり、閾値以下である場合には、そうした表示を行わず（即ち、ユーザの判断を求めず）、印刷を行っても良い。
【００８３】
＜認識コード解析処理＞
図１２は画像形成システムが有する画像形成装置における識別コード解析処理（図１１のＳ１１０３に示す）の流れを示すフローチャートである。
【００８４】
以下、本実施例ではドキュメントサーバ情報とドキュメント情報を区切る方法と、ドキュメント情報に複数含まれるドキュメントに関する情報を区切る方法の一例として、予め決められた文字列を用いることとする。また、認識コード（識別コードと呼ぶこともある。）に含まれる文字列は、先頭にドキュメントサーバ情報を保持し、前記予め決められた文字列を区切り文字として挟み、続いてドキュメント情報を保持することとした。なお、図２０に識別コードに含まれる文字情報の一例を示す。図２０においてはドキュメントサーバ情報とドキュメント情報を区切る文字として半角スペースを用いることとしている。さらに、ドキュメント情報に複数含まれるドキュメント詳細方法を区切る文字としても半角スペースを用いる事として記載している。
【００８５】
まず、読み込んだ認識コードに含まれる文字情報を読み出し（Ｓ１２０１）、次に読みだした文字情報がドキュメントサーバ情報とドキュメント情報を区切る文字コードであるか否かを判断する。（Ｓ１２０２）ドキュメントサーバ情報とドキュメント情報を区切る文字コードではないと判断された場合、前記Ｓ１２０１で読みだした文字コードを配列に書き込む（Ｓ１２０３）。次に、前記読み込んだ文字情報を以って文字列情報の処理が終了するか否かを判断。（Ｓ１２０４）未処理の文字情報があると判断された場合、Ｓ１２０１に戻り次の文字情報を読み出す。次に、Ｓ１２０２にてドキュメントサーバ情報とドキュメント情報を区切る文字コードを検出した場合、Ｓ１２０３で配列に保存した文字列情報をドキュメントサーバ情報保存領域に保存する。（Ｓ１２０５）
更に、文字情報を読み出し（Ｓ１２０６）、次に読みだした文字情報がドキュメント情報に複数含まれるドキュメントに関連する情報を区切る文字コードか否かを判断する。（Ｓ１２０７）ドキュメント情報を区切る文字コードではないと判断された場合、前記Ｓ１２０６で読みだした文字コードを配列に書き込む（Ｓ１２０８）。次に、前記読み込んだ文字情報を以って文字列情報の処理が終了するか否かを判断。（Ｓ１２１０）未処理の文字情報があると判断された場合、Ｓ１２０６に戻り次の文字情報を読み出す。次に、Ｓ１２０７にてドキュメント情報を区切る文字コードを検出した場合、Ｓ１２０８で配列に保存した文字列情報をドキュメント情報保存領域に保存し処理を終了する。（Ｓ１２０９）
本実施例では予め決められた情報フォーマット、区切り文字を用いることとしたが、文字列情報から特定の意味を有する文字列を抽出する方法についてはこれに限るものではない。
【００８６】
＜ドキュメントサーバへのドキュメント登録処理＞
図１３は画像形成システムが有するドキュメントサーバにおけるドキュメント登録処理の流れを示すフローチャートである。
【００８７】
まず、ドキュメント登録指示があると、登録対象のドキュメントからドキュメント情報を抽出し（Ｓ１３０１）、登録指示されたドキュメントサーバの情報とドキュメント情報を識別コードに変換する。（Ｓ１３０２）ドキュメントサーバの情報と、ドキュメント情報の一例を図２０の２００１と２００２に示す。次に、ドキュメント登録時にユーザーが指定したサンプルデータにＳ１３０２にて変換した識別コードを合成する。（Ｓ１３０３）次に、ドキュメントサーバのデータ保存領域に登録指示のあったドキュメントとサンプルデータを登録する。（Ｓ１３０４）更に、ドキュメントサーバが有する登録ドキュメント情報管理用データベースにドキュメント名称と、ドキュメント情報とドキュメント保存領域情報を保存し処理を終了する。
【００８８】
Ｓ１３０３にて生成されるサンプルデータの一例を図６に示す。
【００８９】
なお、本実施例のドキュメント情報抽出手段ではドキュメントサーバが登録対象のドキュメントを解析し情報を抽出する事としているが、ドキュメント登録処理を実施するユーザーが必要な情報を登録する事としてもよい。
【００９０】
以上説明したように、本実施例によれば、認識コードに含まれるドキュメント情報を用いてドキュメントサーバへのアクセスを行うことなくドキュメント情報をユーザーに提示することが可能となる。これによりユーザーはドキュメントサーバからの情報送信を待つことなくドキュメント情報を参照することが可能となり、処理効率を向上することが可能となる。さらには、ドキュメント処理に際して画像形成装置のパネル操作部にドキュメント情報を表示し画像形成処理実行の可否をユーザーが指示可能とすることで、意図しないあるいは画像形成装置の処理能力以上の処理を実行することを抑制することができる。
【００９１】
［実施例２］
実施例１は認識コードに含まれるドキュメント情報を画像形成装置の有するパネル操作部に表示し画像形成処理実行の可否をユーザーが指示可能とする処理について記載した。実施例２においてはドキュメント情報と画像形成装置の処理能力を確認し、画像形成装置で処理できないドキュメント情報を読み込んだ場合の処理について図１４を用いて説明する。
【００９２】
画像形成システムは、図３の３８０および３９０で以下の処理を実施する。
【００９３】
図２の２１７を介して接続される動画撮影可能な撮像装置（図２の２０３に図示）において識別コードを撮影（Ｓ１４０１）、認識情報を認識する（Ｓ１４０２）し、Ｓ１４０２で得られた認識情報を解析する（Ｓ１４０３）。
【００９４】
次に画像形成システムは、図３のジョブ管理部（３０３）、ＰＤＬ解析部（３０４）および印刷制御部（３６０）において以下の処理を実施する。まず、Ｓ１４０３の処理において抽出されドキュメントサーバ情報保存領域に保存されているドキュメントサーバ情報を読みだす。（Ｓ１４０４）ドキュメントサーバ情報の一例を図２０の２００１に示す。次にＳ１４０３の処理において抽出され、ドキュメント保存領域に保存されているドキュメント情報を読み出す。（Ｓ１４０５）ドキュメント情報の一例を図２０の２００２に示す。
【００９５】
次に前記Ｓ１４０５で取得したドキュメント情報と画像形成装置の処理能力を比較し（Ｓ１４０６）、前記比較処理において認識コードを読み込んだ画像形成装置で処理できない情報が含まれているか判断する。（Ｓ１４０７）処理できない情報が含まれると判断された場合、図８の８０１および８０２、図１０の１００１に示す画像形成装置が有する操作パネルに警告メッセージを表示。（Ｓ１４０８）更に、Ｓ１４０５で保存領域から読み出したドキュメント情報と、画像形成処理を実行するか否かを選択する画面を表示する。（Ｓ１４Ｓ１４０９）画面構成の一例を図１８の１８０１に示す。次に、オペレータが前記操作パネルを介して設定変更を行う場合（Ｓ１４１０）、ユーザーが画像形成処理に関する設定変更を行う画面を表示し、ユーザーの操作を促し設定変更処理を待つ。（Ｓ１４１１）図１８の１８０２と１８０３に画面構成の一例を示す。一方で、ユーザーが設定変更を行わず画像形成処理が選択された場合、Ｓ１４１２−Ｓ１４１５に示す処理を実行し処理を終了する。
【００９６】
以上説明したように、本実施例によれば、認識コードに含まれるドキュメント情報と画像形成装置の能力を比較することで画像形成装置では処理できないドキュメントを読み込んだ場合にユーザーに警告を表示し、画像形成処理を継続するか否かを選択可能とする。更に、画像形成装置で処理できないドキュメント情報が指定されている場合に画像形成装置で処理可能な設定への変更を促す画面を操作画面に表示することで画像形成装置の処理能力以上の処理を実行することを抑制することができる。
【００９７】
［実施例３］
実施例２は認識コードに含まれるドキュメント情報と画像形成装置の能力を比較し、画像形成装置の処理能力では処理ができないと判断された場合に、画像形成装置の有するパネル操作部に警告を表示する処理について記載した。更には、画像形成装置で処理できないドキュメント情報が指定されている場合に画像形成装置で処理可能な設定への変更を促す画面を操作画面に表示する処理について記載した。
【００９８】
実施例３においてはドキュメント情報から、画像形成処理に好適な設定への変更を促す処理について図１５を用いて説明する。
【００９９】
画像形成システムは、図３の３８０および３９０で以下の処理を実施する。
【０１００】
図２の２１７を介して接続される動画撮影可能な撮像装置（図２の２０３に図示）において識別コードを撮影（Ｓ１５０１）、認識情報を認識する（Ｓ１５０２）し、Ｓ１５０２で得られた認識情報を解析する（Ｓ１５０３）。
【０１０１】
次に画像形成システムは、図３のジョブ管理部（３０３）、ＰＤＬ解析部（３０４）および印刷制御部（３６０）において以下の処理を実施する。まず、Ｓ１５０３の処理において抽出されドキュメントサーバ情報保存領域に保存されているドキュメントサーバ情報を読みだす。（Ｓ１５０４）ドキュメントサーバ情報の一例を図２０の２００１に示す。次にＳ１５０３の処理において抽出され、ドキュメント保存領域に保存されているドキュメント情報を読み出す。（Ｓ１５０５）ドキュメント情報の一例を図２０の２００２に示す。例えば、印刷設定やページサイズ、ページ数（カラーページのページ数やモノクロページのページ数、総ページ数等）などが含まれている。
【０１０２】
次に前記Ｓ１５０５で取得したドキュメント情報と画像形成装置の処理能力を比較し（Ｓ１５０６）、前記比較処理において認識コードを読み込んだ画像形成装置で設定変更可能な情報が含まれているか判断する（Ｓ１５０７）。設定変更可能な情報が含まれると判断された場合、図８の８０１および８０２、図１０の１００１に示す画像形成装置が有する操作パネルに設定変更可能である旨のメッセージと、ドキュメント情報と、画像形成処理を実行するか否かを選択する画面を表示する。（Ｓ１５０８）画面構成の一例を図１９の１９０１に示す。次に、オペレータが前記操作パネルを介して設定変更を行う場合（Ｓ１５０９）、ユーザーが画像形成処理に関する設定変更を行う画面を表示し、ユーザーの操作を促し設定変更処理を待つ。（Ｓ１５１０）図１９の１９０２、１９０３、１９０４に画面構成の一例を示す。一方で、ユーザーが設定変更を行わず画像形成処理が選択された場合、Ｓ１５１１−Ｓ１５１４に示す処理を実行し処理を終了する。
【０１０３】
以上説明したように、本実施例によれば、認識コードに含まれるドキュメント情報と画像形成装置の能力から画像形成装置で設定変更可能な情報を抽出し、ユーザーに設定可能である旨を通知し、変更を促す事でより好適な画像形成処理を可能とする。
【０１０４】
［実施例４］
実施例１−３はユーザーの実行指示後にドキュメントサーバに対してドキュメント送信命令を送信し、文書データを受信する処理について記載した。
【０１０５】
実施例４においては、ドキュメントサーバ情報を認識直後にドキュメントサーバに対してドキュメント処理命令を送信し、ユーザーの実行指示があるまで画像形成装置の有する一次保存装置に止め置く処理について図２１を用いて説明する。
【０１０６】
図２１は画像形成システムにおいて、撮影装置を用いて認識した認識コードの解析結果を基に、ドキュメントサーバから送信されるドキュメントを画像形成処理完了するまでの流れを示すフローチャートである。
【０１０７】
画像形成システムは、図３の３８０および３９０で以下の処理を実施する。
【０１０８】
図２の２１７を介して接続される動画撮影可能な撮像装置（図２の２０３に図示）において識別コードを撮影（Ｓ２１０１）、認識情報を認識する（Ｓ２１０２）し、Ｓ２１０２で得られた認識情報を解析する（Ｓ２１０３）。
【０１０９】
次に画像形成システムは、図３のジョブ管理部（３０３）、ＰＤＬ解析部（３０４）および印刷制御部（３６０）において以下の処理を実施する。まず、ドキュメントサーバ情報保存領域に保存されているドキュメントサーバ情報を読みだし（Ｓ２１０４）、ドキュメントサーバに対してデータ送信命令を送信する。（Ｓ２１０５）ドキュメントサーバ情報の一例を図２０の２００１に示す。次にドキュメントサーバからのドキュメント受信を待つとともに（Ｓ２１０６）、ドキュメント情報保存領域に保存されているドキュメント情報を読み出す。（Ｓ２１０８）更に、図８の８０１および８０２、図１０の１００１に示す画像形成装置が有する操作パネルにＳ１１０５にて保存領域から読み出したドキュメント情報と、画像形成処理を実行するか否かを選択する画面を表示する。（Ｓ２１０９）一方、ドキュメントサーバからの受信待ちしていたＳ２１０６でドキュメントを受信した場合、受信したドキュメントを画像形成装置の有する一次記憶装置に保存する。（Ｓ２１０７）
次に、オペレータが前記操作パネルを介して画像形成処理実行を指示したか判断し（Ｓ２１１０）、入力された実行指示に従い処理を実行する。Ｓ２１１０で画像形成処理の実行指示が選択された場合、Ｓ２１０７で一次記憶装置に保存していた文書データを読み出し（Ｓ２１１１）、読み出したドキュメントをビットマップ展開し紙媒体への画像形成処理を行う（Ｓ２１１２）。
【０１１０】
一方、Ｓ２１１０にて画像形成処理がキャンセルされた場合もしくは、印刷実行処理が完了した場合一時記憶装置に保存されている文書データを削除（Ｓ２１１３）し処理を終了する。
【０１１１】
なお、実施例１−４に示した制御プログラムは、図７の７５に示す画像形成装置上で動作することとしたが、図７の７１に示すプリントサーバもしくは図７の７２および７３に示すホストコンピュータ上で動作するように構成することも可能である。
【０１１２】
以上、様々な実施形態を詳述したが、本発明の趣旨と範囲は、本発明の特定の説明と図に限定されるものではなく、本願特許請求の範囲に述べられた内容の様々な修正および変更に及ぶことは当業者にとって理解されるであろう。
【０１１３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１１４】
１０１  インタプリタ
１０２  ＰＤＬ解析部
１０３  Ｐａｇｅ情報解析部
１０４  描画オブジェクト解析部
１０５  ＤＬ生成部
１０６  ＤＬ管理部
１０７  データ記憶部
１０８  レンダリング処理部
１０９  プリントエンジン
２００  コントロールユニット
２０１  スキャナ
２０２  プリンタエンジン
２１０  操作部
３０１  プロトコル制御部
３０２  データ入力識別部
３０３  ジョブ管理部
３０４  ＰＤＬ解析部
３０５  データ描画部
３０６  ページメモリ
３２０  パネル入出力Ｉ／Ｆ
３３０  データ記憶部
３４０  プリンタＩＦ（ネットワークインタフェース）
３５０  スキャン制御部
３６０  印刷制御部
３７０  プリンタエンジン部
３８０  カメラ制御部
３９０  撮像データ解析部
６０  サンプル画像
６１  認識コード
７１  プリントサーバ
７２  ホストコンピュータ
７３  ホストコンピュータ
７４  ネットワーク
７５  画像形成装置
７６  ドキュメントサーバ
８０１  タッチパネル部
８０２  キー入力部
９０１  操作部電源スイッチ
９０２  ストップキー
９０３  スタートキー
９０４  リセットキー
９０５  ユーザーモードキー
９０６  テンキー
９０７  クリアキー
１００１  パネル操作部
１００２  パネル表示部
【図１】
2014138990.tif 000003
【図２】
2014138990.tif 000004
【図３】
2014138990.tif 000005
【図４】
2014138990.tif 000006
【図５】
2014138990.tif 000007
【図６】
2014138990.tif 000008
【図７】
2014138990.tif 000009
【図８】
2014138990.tif 000010
【図９】
2014138990.tif 000011
【図１０】
2014138990.tif 000012
【図１１】
2014138990.tif 000013
【図１２】
2014138990.tif 000014
【図１３】
2014138990.tif 000015
【図１４】
2014138990.tif 000016
【図１５】
2014138990.tif 000017
【図１６】
2014138990.tif 000018
【図１７】
2014138990.tif 000019
【図１８】
2014138990.tif 000020
【図１９】
2014138990.tif 000021
【図２０】
2014138990.tif 000022
【図２１】
2014138990.tif 000023